(57)【要約】【課題】湯温混合弁がロックなどの異常状態に陥ったときでも、給湯端末へ高温の湯を供給することがない安全性の高い貯湯式温水器を提供すること。【解決手段】湯水を貯める貯湯タンク１と、貯湯タンク１下部へ接続された入水管２と、入水管２の途中から分岐した給水管４と、貯湯タンク１上部へ接続された給湯管３と、給水管４及び給湯管３とが接続された混合弁５と、混合弁５の下流に接続された出湯管６と、出湯管６を流れる湯の温度を検知する湯温検知装置９と、給水管４と出湯管３を繋ぎ出湯管６との接続位置が湯温検知装置９より下流にあるバイパス管７と、バイパス管７の途中に設けられた開閉弁８と、湯温検知装置９で検知した湯温が設定温度より高い状態を、一定時間検出した時には、開閉弁８を開く。【選択図】図１
2009103334.tif 000002
【特許請求の範囲】
【請求項１】
湯水を貯める貯湯タンクと、前記貯湯タンク下部へ接続された入水管と、前記入水管の途中から分岐した給水管と、前記貯湯タンク上部へ接続された給湯管と、前記給水管及び前記給湯管とが接続された湯温混合弁と、前記湯温混合弁の下流に接続された出湯管と、出湯管を流れる湯の温度を検知する湯温検知装置と、前記給水管と前記出湯管を繋ぎ前記出湯管との接続位置が前記湯温検知装置より下流にあるバイパス管と、バイパス管の途中に設けられた開閉弁と、前記湯温検知装置で検知した湯温が設定温度より高い状態を、一定時間検出した時には、前記開閉弁を開くことを特徴とする貯湯式温水器。
【請求項２】
前記開閉弁として電磁弁を用いたことを特徴とする請求項１に記載の貯湯式温水器。
【請求項３】
前記開閉弁として水量制御弁を用いたことを特徴とする請求項１に記載の貯湯式温水器。
【発明の詳細な説明】
【技術分野】
【０００１】
本発明は湯温混合弁により出湯湯温を調整する貯湯式温水器に関するものである。
【背景技術】
【０００２】
従来、湯温混合弁により出湯湯温を調整する貯湯式温水器は、貯湯タンク上部の高温水を供給する給湯管と、給水源からの低温水を供給する給水管とを混合弁にて設定温度となるように混合して、給湯端末へ湯を供給していた（例えば、特許文献１参照）。図３は特許文献１に記載された従来の湯温混合弁により出湯湯温を調整する貯湯式温水器の構成を示すものである。
【特許文献１】特開２００４−１４４３１５号公報
【発明の開示】
【発明が解決しようとする課題】
【０００３】
しかしながら、前記従来の構成では、湯温混合弁のロック等の故障が発生すると、設定温度の湯に混合できないために、湯側が多く開いている場合などは、適温に混合できず高温の湯のまま給湯端末へ供給されてしまうという課題を有していた。
【０００４】
本発明は、前記従来の課題を解決するもので、湯温混合弁がロックなどの異常状態に陥ったときでも、給湯端末へ高温の湯を供給することがない安全性の高い貯湯式温水器を提供することを目的とする。
【課題を解決するための手段】
【０００５】
前記従来の課題を解決するために、本発明の貯湯式温水器は、湯水を貯める貯湯タンクと、前記貯湯タンク下部へ接続された入水管と、前記入水管途中から分岐した給水管と、前記貯湯タンク上部へ接続された給湯管と、前記給水管及び前記給湯管とが接続された混合弁と、前記湯温混合弁の下流に接続された出湯管と、出湯管を流れる湯の温度を検知する湯温検知装置と、前記給水管と前記出湯管を繋ぎ前記出湯管との接続位置が前記湯温検知装置より下流にあるバイパス管と、バイパス管の途中に設けられた開閉弁と、前記湯温検知装置で検知した湯温が設定温度より高い状態を、一定時間検出した時には、前記開閉弁を開くことにより、出湯温度が高い状態を検知したとしても、出湯温度を低い状態にして給湯端末へ湯を供給することができる。
【発明の効果】
【０００６】
湯温混合弁がロックなどの異常状態に陥ったときでも、給湯端末へ高温の湯を供給することがない安全性の高い貯湯式温水器を提供することができる。
【発明を実施するための最良の形態】
【０００７】
第１の発明の貯湯式温水器は、湯水を貯める貯湯タンクと、前記貯湯タンク下部へ接続された入水管と、前記入水管途中から分岐した給水管と、前記貯湯タンク上部へ接続された給湯管と、前記給水管及び前記給湯管とが接続された混合弁と、前記湯温混合弁の下流に接続された出湯管と、出湯管を流れる湯の温度を検知する湯温検知装置と、前記給水管と前記出湯管を繋ぎ前記出湯管との接続位置が前記湯温検知装置より下流にあるバイパス管と、バイパス管の途中に設けられた開閉弁と、前記湯温検知装置で検知した湯温が設定温度より高い状態を、一定時間検出した時には、前記開閉弁を開くことにより、出湯温度が高い状態を検知したとしても、出湯温度を低い状態にして給湯端末へ湯を供給することができる。
【０００８】
第２の発明の貯湯式温水器は、特に第１の発明において、前記開閉弁として電磁弁を用いたことにより、簡単な構成で出湯温度を低い状態にして給湯端末へ湯を供給することができる。
【０００９】
第３の発明の貯湯式温水器は、特に第１の発明において、前記開閉弁として水量制御弁を用いたことにより、湯温検知装置で検知した温度に応じて水の量を変更することができ、無駄に水を消費することがない。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における貯湯式温水器の図を示すものである。図１に示すように、湯水を貯える貯湯タンク１の下部には入水管２が接続しており、給水源から入水管２を経て貯湯タンク１の下部に水が供給されるとともに、貯湯タンク１の上方部には給湯管３が接続しており、給湯端末へ高温水が供給される。
【００１２】
また、入水管２の途中から分岐して給水管４が設けられており、給水管４と給湯管３が湯温混合弁５に接続されるとともに、湯温混合弁５で所望の温度に混合される。湯温混合弁５の出口側には給湯端末へ湯を供給する出湯管６が接続されており、さらに出湯管６には湯温混合弁５で混合された湯の温度を検出するサーミスタ９が設けられている。
【００１３】
さらに、給水管４の途中から分岐してバイパス管７が設けられており、出湯管６のサーミスタ９を設けている箇所よりも下流側に接続される。また、バイパス管７の途中には開閉弁である電磁弁８が設けられている。
【００１４】
一方、貯湯タンク１内の湯水を沸き上げるために熱源１０が設けられており、貯湯タンク１の下部にある湯水を、熱源１０に送って高温水を生成するとともに、貯湯タンク１の上部に熱源１０で生成した高温水を貯める構成となっており、貯湯タンク１０内には、上部が高温、下部が低温という温度層を成すように湯が貯えられる。なお、熱源１０は、ヒートポンプ回路、ヒータ等、どのような沸き上げ回路の構成であっても構わない。
【００１５】
以上のように構成された貯湯式温水器について、以下、その動作、作用を説明する。
【００１６】
まず、使用者が給湯端末（例えば、カラン等）から湯を出湯すると、リモコン（図示せず）などで設定された設定温度となるように、給湯管３から供給される貯湯タンクの上部に貯められている高温湯と、給水源から給水管４を経て供給される低温水を湯温混合弁５で混合する。そしてサーミスタ９で検出する温度が、設定温度となるように湯温混合弁５が駆動される。そして、通常ならばこの時、湯温混合弁５が正常であると判断されるので、電磁弁８は閉じたままでバイパス管７には水が流れない。
【００１７】
図２は、湯温混合弁の異常時における制御フロー図である。図２に基づいて、本実施の形態における湯温混合弁の駆動について説明する。なお、それぞれの動作の後に記載されているＳ１等の記号は、図２中に記載されている記号に対応する。
【００１８】
まず、使用者が給湯端末から湯を出湯する（Ｓ１）。この時、まだバイパス管７に設けられている電磁弁８は閉じたままである。次に、サーミスタ９で検出される湯の温度が設定温度であるかどうかを判定（Ｓ２）し、サーミスタ９で検出される湯の温度が、設定温度から外れていると、サーミスタ９で検出される湯の温度が設定温度となるように、湯温混合弁５が駆動される（Ｓ３）。
【００１９】
そして、サーミスタ９で検出される湯の温度が、異常高温判定のために設けられた判定温度を下回るかどうかを判定（Ｓ４）し、判定温度を下回っていると正常動作であると判断される（Ｓ５）。しかしながら、サーミスタ９で検出される湯の温度が、判定温度以上を検出し、そしてなおかつ、判定温度以上が一定時間継続していると判断（Ｓ６）された場合には、湯温混合弁５が異常であると判断される（Ｓ７）。
【００２０】
そして、湯温混合弁５が以上であると判断されれば、電磁弁８を開き（Ｓ８）、湯温混合弁５から出た高温水にバイパス管７を経て供給される低温水が混合されることにより、給湯端末へ供給される湯の温度を下げ、さらに、電磁弁８を開くとともに、機器異常の警告表示（Ｓ９）を行うことで、機器が故障したことを使用者に伝えるため、使用者に対して高温の湯を供給することのない安全性の高い貯湯式温水器を実現することができる。
【００２１】
なお、一旦サーミスタ９の温度が異常温度を検知した場合においても、サーミスタ９で検出される温度が、設定温度に戻った場合には、再度電磁弁８を閉めて、正常運転を行うこともできる。
【００２２】
また、本実施の形態においては開閉弁として電磁弁８を使用したが、これに限定されることなく、電磁弁８の代わりに水量制御弁を用いて、サーミスタ９で検出される湯の温度に基づいて、水量制御弁の開度を変更してもよく、その場合には、サーミスタ９が高温であればあるほど、水量制御弁の開度を開くような制御にすることで、無駄に水を使用することがなく、省エネな運転を実行することができる。
【産業上の利用可能性】
【００２３】
以上のように、本発明の貯湯式温水器は、熱源にヒートポンプ、ヒーターなど貯湯式の給湯機であればどのような形態でも本発明を適用することができる。
【図面の簡単な説明】
【００２４】
【図１】本発明の実施の形態１における貯湯式温水器の構成図
【図２】同実施の形態における湯温混合弁の異常時における制御フロー図
【図３】従来の貯湯式温水器の構成図
【符号の説明】
【００２５】
１  貯湯タンク
２  入水管
３  給湯管
４  給水管  
５  湯温混合弁
６  出湯管
７  バイパス管
８  電磁弁
９  サーミスタ
１０  熱源
【図１】
2009103334.tif 000003
【図２】
2009103334.tif 000004
【図３】
2009103334.tif 000005